(57)【要約】【課題】エレベータに設置されているカメラ等の既存設備を利用して効果的に迷子を検出することを可能にする。【解決手段】エレベータ乗場及びエレベータかご内を撮像するカメラからの撮像信号を画像解析装置により解析してエレベータ利用者を識別し、識別された利用者中に子供が特定された場合にその子供の挙動を追跡し、子供が乗りかごから１人で降りた場合、又は同じ階で乗りかごを乗り降りしている場合には、迷子の可能性が有ると判定手段が判定し、判定手段により迷子と判定された場合には、迷子の可能性のある子供を特定するための情報をエレベータが設置されているビルの防災センター又は保護者が所持する携帯端末に迷子情報として通知する。【選択図】図１
2019055838.tif 000002
【特許請求の範囲】
【請求項１】
エレベータ乗場及びエレベータかご内を撮像するカメラからの撮像信号を解析してエレベータ利用者を識別する利用者識別手段と、
識別された利用者中に子供が特定された場合にその子供の挙動を追跡して迷子か否かを判定する判定手段と、
判定手段により迷子と判定された場合には、迷子情報を出力する通知手段と、
を具備することを特徴とするエレベータシステム。
【請求項２】
前記利用者識別手段は、利用者の年齢、性別、身長、顔、服装、表情を分析して、子供か否かを判定するとともに、その挙動を監視する、
ことを特徴とする請求項１に記載のエレベータシステム。
【請求項３】
前記判定手段は、前記子供が乗りかごから１人で降りた場合、又は同じ階で乗りかごを乗り降りしている場合には、迷子の可能性が有ると判定し、
前記通知手段は、迷子の可能性のある前記子供を特定するための情報をエレベータが設置されているビルの防災センターに通知する、
ことを特徴とする請求項１又は２に記載のエレベータシステム。
【請求項４】
前記通知手段は、迷子を特定できた場合には特定された迷子の保護者が所持する携帯端末に迷子情報を通知する、
ことを特徴とする請求項２に記載のエレベータシステム。
【請求項５】
画像解析装置を使用してエレベータを利用する利用者中から迷子を検出するエレベータの迷子検出方法であって、
エレベータ乗場及びエレベータかご内を撮像するカメラからの撮像信号を前記画像解析装置により解析してエレベータ利用者を識別し、
識別された利用者中に子供が特定された場合にその子供の挙動を追跡し、前記子供が乗りかごから１人で降りた場合、又は同じ階で乗りかごを乗り降りしている場合には、迷子の可能性が有ると判定手段が判定し、
判定手段により迷子と判定された場合には、迷子の可能性のある前記子供を特定するための情報をエレベータが設置されているビルの防災センター又は保護者が所持する携帯端末に迷子情報として通知する、
ことを特徴とするエレベータの迷子検出方法。
【発明の詳細な説明】
【技術分野】
【０００１】
本発明の実施形態は、エレベータシステム及びエレベータの迷子検出方法に関する。
【背景技術】
【０００２】
エレベータかご内に設置されたカメラから得られる画像を用いて乗客の状況を解析して乗客の挙動異常を検知することで、かご内への閉じ込めを防止したり、犯罪の抑止を行う技術が知られている。また、カメラから得られる画像から避難弱者を検出して効率的に避難させるようにした例もある。
【先行技術文献】
【特許文献】
【０００３】
【特許文献１】特開２００７−２３０７３２号公報
【特許文献２】特開２０１２−０１７１６１号公報
【発明の概要】
【発明が解決しようとする課題】
【０００４】
しかし、エレベータ乗場や乗りかご内に設置されたカメラを用いて、当該エレベータが設置されている施設の利用者がエレベータをどのように利用しているか、または移動の傾向を把握することは難しい。特に、エレベータ利用者中に子供がいる場合には、迷子になる可能性もあり、エレベータにおいて効果的に迷子を検出する手法の開発が臨まれている。
【０００５】
上記事情に鑑み本発明の実施形態は、エレベータに設置されているカメラ等の既存設備を利用して効果的に迷子を検出することを可能にしたエレベータシステム及びエレベータの迷子検出方法を提供することを目的とする。
【課題を解決するための手段】
【０００６】
上記目的を達成するための第１の態様は、エレベータ乗場及びエレベータかご内を撮像するカメラからの撮像信号を解析してエレベータ利用者を識別する利用者識別手段と、識別された利用者中に子供が特定された場合にその子供の挙動を追跡して迷子か否かを判定する判定手段と、判定手段により迷子と判定された場合には、迷子情報を出力する通知手段と、を具備することを特徴とするエレベータシステムである。
【０００７】
第２の態様は、エレベータ乗場及びエレベータかご内を撮像するカメラからの撮像信号を前記画像解析装置により解析してエレベータ利用者を識別し、識別された利用者中に子供が特定された場合にその子供の挙動を追跡し、前記子供が乗りかごから１人で降りた場合、又は同じ階で乗りかごを乗り降りしている場合には、迷子の可能性が有ると判定手段が判定し、判定手段により迷子と判定された場合には、迷子の可能性のある前記子供を特定するための情報をエレベータが設置されているビルの防災センター又は保護者が所持する携帯端末に迷子情報として通知する、ことを特徴とするエレベータの迷子検出方法である。
【図面の簡単な説明】
【０００８】
【図１】本発明に係るエレベータシステムの一実施形態の全体構成を示す説明図。
【図２】本発明に係るエレベータシステムの一実施形態における電気的構成を示すブロック図。
【図３】本発明に係るエレベータシステム及びエレベータの迷子検出方法の一実施形態における処理手順を示すフローチャート。
【図４】本発明に係るエレベータシステム及びエレベータの迷子検出方法の第１実施形態における処理手順を示すフローチャート。
【図５】本発明に係るエレベータシステム及びエレベータの迷子検出方法の第２実施形態における処理手順を示すフローチャート。
【発明を実施するための形態】
【０００９】
＜第１実施形態＞
図１に示すように、第１実施形態のエレベータシステム１は、昇降路に設置された乗りかご２と、乗りかご２内に設置されたかご内操作盤２１と、乗りかご２上部に設置された乗場カメラ２２と、乗りかご２内に設置されたかご内カメラと、乗りかご２の天井裏に設置された画像解析装置２４と、かごドア２５と、乗りかご２を昇降させる巻上げ機３と、エレベータの乗場４内に設置された乗場操作盤４１、および乗場スピーカ４２と、昇降路上部に設置されたエレベータ制御装置５０とを備える。エレベータ制御装置５０は、乗りかご２にテールコード６１を介して接続されるとともに、巻上げ機３、乗場操作盤４１、および乗場スピーカ４２に信号線６２を介して接続されている。また、エレベータ制御装置５０は、ビルを統括管理する防災センター７０と接続されている。乗りかご２に設置された乗場カメラ２２は、スマートドアに用いられるものである。
【００１０】
各階の乗場４には、ビル側監視カメラ８０と、案内表示装置９０とが設置されており、ビル側監視カメラ８０及び案内表示装置９０は防災センター７０に接続されている。
【００１１】
図２に示すように、画像解析装置２４は、乗場カメラ２２及びかご内カメラ２３で撮影された画像信号を入力する画像信号入力部２４１と、入力された画像信号を解析する画像信号解析部２４２と、画像信号の解析結果を保存する解析結果保存部２４３と、解析結果をエレベータ制御装置５０等に出力する解析結果出力部２４４とを備えている。
【００１２】
本実施形態では、エレベータの利用者中に子供Ｋがいる場合に、ビル側システムと連携して効率的に迷子発生を防止するようにしている。
【００１３】
次に、第１実施形態における処理手順を図３〜図４のフローチャートを用いて説明する。
【００１４】
図３のフローチャートに示すように、エレベータの通常運転中、各階の乗場カメラ２２によって、各階の乗場４が撮影されている。また、かご内カメラ２３によって、乗りかご２内の状況が撮影されている（ステップＳ１，Ｓ２）。
【００１５】
乗場カメラ２２及びかご内カメラ２３のからの画像信号は、画像信号解析部２４２に入力される。画像信号解析部２４２では、入力された画像信号中から利用者を個別に掌握するために、利用者の年齢、性別、身長、顔、服装、表情等の属性を画像処理によって分析し、その分析された解析結果を解析結果保存部２４３に保存する（ステップＳ３）
次いで、解析結果の中に子供Ｋが存在するか否かが検証され、子供Ｋが存在する場合（ステップＳ４YES）には、さらに、図４に示す追跡処理が実行される。その結果、連絡通路階に１人で降りた場合（ステップＳ５YES）、同じ階で乗り降りした場合（ステップＳ６YES）、及びかご内で泣いている場合（ステップＳ７YES）等の挙動が検知された場合には、迷子がいる階若しくは乗車しているエレベータ付近にいる係員に迷子情報が発報される（ステップＳ８）。同時に各階に設けられている案内表示装置に迷子情報が表示される（ステップＳ９）。この迷子情報としては、子供Ｋの推定年齢、身長、性別、服装、特徴等が表示される。また、必要に応じてその画像も表示される。
【００１６】
このように、第１実施形態によれば、エレベータに設置されている乗場カメラ２２やかご内カメラ２３等の既存設備を利用し、画像解析によって効果的に迷子を検出することが可能となる。
【００１７】
＜第２実施形態＞
次に第２実施形態について説明する。なお、図１に示すエレベータシステムの全体構成、図２に示すブロック図は第１実施形態と同一であるため、図３、図５を使用して処理手順のみを説明する。
【００１８】
第２実施形態において、図３のフローチャートに示すように、エレベータの通常運転中、各階の乗場カメラ２２によって、各階の乗場４が撮影されている。また、かご内カメラ２３によって、乗りかご２内の状況が撮影されている（ステップＳ１，Ｓ２）。
【００１９】
乗場カメラ２２及びかご内カメラ２３のからの画像信号は、画像信号解析部２４２に入力される。画像信号解析部２４２では、入力された画像信号中から利用者を個別に掌握するために、利用者の年齢、性別、身長、顔、服装、表情等の属性を画像処理によって分析し、その分析された解析結果を解析結果保存部２４３に保存する（ステップＳ３）
次いで、解析結果の中に子供Ｋが存在するか否かが検証され、子供Ｋが存在する場合（ステップＳ４YES）には、その子供Ｋは１人で乗車している場合（ステップＳ１１YES）には、入場時は親同伴であったかが判定される（ステップＳ１２）。この処理では、例えば、イベント会場やビルの入口に設置されているビル側監視カメラ８０の画像処理の結果から判断することができる。入場時には親同伴であった場合（ステップＳ１２YES）には、子供Ｋは迷子と判定し、画像信号解析部２４２の解析結果である利用者分析データから利用者情報を迷子リストに追加する（ステップＳ１３）。
【００２０】
この場合、仮に、子供Ｋの保護者が所持する携帯端末（スマートフォンやタブレット）に迷子アプリがインストールされている場合には、迷子アプリによって迷子情報を表示する（ステップＳ１４、Ｓ１５）保護者が迷子アプリがインストールされた携帯端末を所持していない場合（ステップＳ１５NO）には、各階の乗場４に設置された案内表示装置９０に迷子情報として表示する（ステップＳ１６）。保護者又は係員が案内表示装置９０の表示内容を見て迷子情報を発報した場合（ステップＳ１７YES）、又は携帯端末に表示された迷子情報を見て保護者が携帯端末から迷子情報を発報した場合（ステップＳ１８、Ｓ１９YES）には、迷子誘導運転を行って迷子を保護する（ステップＳ２０、Ｓ２１）。
【００２１】
例えば、迷子情報を受信した防災センター７０はエレベータ制御装置５０にその旨を通知し、迷子がいる階床まで乗りかごを運転して迷子を保護する。この場合、乗場スピーカ４２を利用することにより、迷子になった子供Ｋに対して、助言を与えたり誘導したりすることで不安を解消させる。
【００２２】
このように、第２実施形態によっても、エレベータに設置されている乗場カメラ２２やかご内カメラ２３等の既存設備を利用し、画像解析によって効果的に迷子を検出することが可能となる。また、保護者が所持する携帯端末に迷子情報を通知することができるので、保護者にとっても安心かつ安全にエレベータ施設を利用することができる。
【００２３】
なお、以上の実施形態に加えて、迷子の可能性が認識された場合に、乗場カメラ２２及びかご内カメラ２３の画像信号の解析結果とビル側監視カメラ８０の画像信号の解析結果とを連動させて迷子検出するように構成すれば、より効果的に迷子検出が可能となる。
【００２４】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
１…エレベータシステム、２…乗りかご、３…巻上げ機、４…乗場、２１…かご内操作盤、２２…乗場カメラ、２３…かご内カメラ、２４…画像解析装置、２５…かごドア、４１…乗場操作盤、４２…乗場スピーカ、５０…エレベータ制御装置、６１…テールコード、６２…信号線、７０…防災センター、８０…ビル側監視カメラ、９０…案内表示装置、２４１…画像信号入力部、２４２…画像信号解析部（利用者識別手段、判定手段）、２４３…解析結果保存部、２４４…解析結果出力部（通知手段）、Ｋ…子供。
【図１】
2019055838.tif 000003
【図２】
2019055838.tif 000004
【図３】
2019055838.tif 000005
【図４】
2019055838.tif 000006
【図５】
2019055838.tif 000007
【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
エレベータ乗場及びエレベータかご内を撮像するカメラからの撮像信号を解析してエレベータ利用者を識別する利用者識別手段と、
識別された利用者中に子供が特定された場合にその子供の挙動を追跡して迷子か否かを判定する判定手段と、
判定手段により迷子と判定された場合には、迷子情報を出力する通知手段と、を具備し、
前記利用者識別手段は、前記撮像信号を解析して利用者の年齢、性別、身長、顔、服装、表情を分析することにより、利用者が子供か否かを判定するとともに、その挙動を監視し、
前記判定手段は、前記子供が乗りかごから１人で降りた場合、又は同じ階で乗りかごを乗り降りしている場合には、迷子の可能性が有ると判定し、
前記通知手段は、迷子の可能性のある前記子供を特定するための情報をエレベータが設置されているビルの防災センターに通知するとともに、迷子を特定できた場合には特定された迷子の保護者が所持する携帯端末に迷子情報を通知する、
ことを特徴とするエレベータシステム。
【請求項２】
前記カメラの撮像信号の解析結果と、各階の乗場に設置されたビル側監視カメラによって撮像された乗場側の撮像信号の解析結果とを連動させて迷子を検出する請求項１に記載のエレベータシステム。
【請求項３】
画像解析装置を使用してエレベータを利用する利用者中から迷子を検出するエレベータの迷子検出方法であって、
エレベータ乗場及びエレベータかご内を撮像するカメラからの撮像信号を前記画像解析装置により解析して利用者の年齢、性別、身長、顔、服装、表情を分析することにより、エレベータ利用者を識別し、
識別された利用者中に子供が特定された場合にその子供の挙動を追跡し、前記子供が乗りかごから１人で降りた場合、又は同じ階で乗りかごを乗り降りしている場合には、迷子の可能性が有ると判定手段が判定し、
判定手段により迷子と判定された場合には、迷子の可能性のある前記子供を特定するための情報をエレベータが設置されているビルの防災センターに通知し、
迷子を特定できた場合には特定された迷子の保護者が所持する携帯端末に迷子情報として通知する、ことを特徴とするエレベータの迷子検出方法。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
エレベータ乗場及びエレベータかご内を撮像するカメラからの撮像信号を解析してエレベータ利用者を識別する利用者識別手段と、
識別された利用者中に子供が特定された場合にその子供の挙動を追跡して迷子か否かを判定すると共に、前記カメラの撮像信号の解析結果と、各階の乗場に設置されたビル側監視カメラによって撮像された乗場側の撮像信号の解析結果とを連動させて迷子を検出する判定手段と、
判定手段により迷子と判定された場合には、迷子情報を出力する通知手段と、を具備し、
前記利用者識別手段は、前記撮像信号を解析して利用者の年齢、性別、身長、顔、服装、表情を分析することにより、利用者が子供か否かを判定するとともに、その挙動を監視し、
前記判定手段は、前記子供が乗りかごから１人で降りた場合、又は同じ階で乗りかごを乗り降りしている場合には、迷子の可能性が有ると判定し、
前記通知手段は、迷子の可能性のある前記子供を特定するための情報をエレベータが設置されているビルの防災センターに通知するとともに、迷子を特定できた場合には特定された迷子の保護者が所持する携帯端末に迷子情報を通知する、
ことを特徴とするエレベータシステム。
【請求項２】
画像解析装置を使用してエレベータを利用する利用者中から迷子を検出するエレベータの迷子検出方法であって、
エレベータ乗場及びエレベータかご内を撮像するカメラからの撮像信号を前記画像解析装置により解析して利用者の年齢、性別、身長、顔、服装、表情を分析することにより、エレベータ利用者を識別し、
識別された利用者中に子供が特定された場合にその子供の挙動を追跡し、前記子供が乗りかごから１人で降りた場合、又は同じ階で乗りかごを乗り降りしている場合には、迷子の可能性が有ると判定手段が判定すると共に、前記カメラの撮像信号の解析結果と、各階の乗場に設置されたビル側監視カメラによって撮像された乗場側の撮像信号の解析結果とを連動させて迷子を検出し、
判定手段により迷子と判定された場合には、迷子の可能性のある前記子供を特定するための情報をエレベータが設置されているビルの防災センターに通知し、
迷子を特定できた場合には特定された迷子の保護者が所持する携帯端末に迷子情報として通知する、ことを特徴とするエレベータの迷子検出方法。